(57)【要約】    【課題】有体物に関するコンテンツ情報へのアクセスに際し、当該有体物が存在する地理的な場所から、ユーザにとって分かり易く、通常の住所で定められていないような詳細な地理的な場所についての指定を可能とする。    【解決手段】ユーザ端末３がユーザから入力された、有体物１が存在する地理的な場所を表すアドレスであって住所及び該住所より下位の位置情報を少なくとも１つ組み合わせてなるロケーションアドレス（ＬＡ）を位置情報関連付けサーバ４へ送信すると、ＬＡと有体物に関するコンテンツ情報のネットワークアドレスとを少なくとも含む有体物を単位とするレコードからなるデータベース４１を検索し、前記有体物１に関するコンテンツ情報のネットワークアドレスをユーザ端末３へ返送し、ユーザ端末３が該ネットワークアドレスを用いて有体物１に関するコンテンツ情報にアクセスする。【選択図】図１
2005227968.tif 000002
【特許請求の範囲】
【請求項１】
ネットワーク上のサーバやデータベースに格納されたコンテンツ情報のうち、有体物に関するコンテンツ情報にユーザ端末からネットワークを介してアクセスする方法であって、
有体物の識別情報と、当該有体物が存在する地理的な場所を表すアドレスであって住所及び該住所より下位の位置情報を少なくとも１つ組み合わせてなるロケーションアドレスと、当該有体物に関するコンテンツ情報が格納されたネットワーク上の場所を表すネットワークアドレスとを少なくとも含む有体物を単位とするレコードからなるデータベースを有し、ネットワークを介してユーザ端末と通信可能なアドレス変換装置を用い、
ユーザ端末が、ユーザからの一の有体物に対応するロケーションアドレスの入力を受け付け、該受け付けたロケーションアドレスをアドレス変換装置へネットワークを介して送信するステップと、
アドレス変換装置が、ユーザ端末からネットワークを介してロケーションアドレスを受信し、該受信したロケーションアドレスを含むレコードをデータベースから検索するステップと、
アドレス変換装置が、検索の結果、該当するレコードがあれば、当該レコードの全部又は一部の情報をユーザ端末へネットワークを介して送信するステップと、
ユーザ端末が、アドレス変換装置からネットワークを介してレコードの全部又は一部の情報を受信し、該受信したレコードの全部又は一部の情報を用いて前記一の有体物に関するコンテンツ情報にネットワークを介してアクセスするステップとを含む
ことを特徴とするデータアクセス方法。
【請求項２】
請求項１記載のデータアクセス方法において、
アドレス変換装置が、検索の結果、該当するレコードがあれば、当該レコードの全部又は一部の情報をユーザ端末へネットワークを介して送信するステップと、ユーザ端末が、アドレス変換装置からネットワークを介してレコードの全部又は一部の情報を受信し、該受信したレコードの全部又は一部の情報を用いて前記一の有体物に関するコンテンツ情報にネットワークを介してアクセスするステップとに代えて、
アドレス変換装置が、検索の結果、該当するレコードがあれば、当該レコードの全部の情報をユーザ端末へネットワークを介して送信するステップと、
ユーザ端末が、アドレス変換装置からネットワークを介してレコードの全部の情報を受信し、該受信したレコードのロケーションアドレスが送信したロケーションアドレスに含まれる位置情報より下位の位置情報を含むかどうかを判定するステップと、
ユーザ端末が、受信したレコードのロケーションアドレスが送信したロケーションアドレスに含まれる位置情報より下位の位置情報を含む場合は当該下位の位置情報とともに有体物の識別情報を表示し、含まない場合は有体物の識別情報のみを表示するステップと、
ユーザ端末が、ユーザからの有体物の識別情報の選択を受け付け、該選択された識別情報に対応するレコードのネットワークアドレスを用いて前記一の有体物に関するコンテンツ情報にネットワークを介してアクセスするステップとを含む
ことを特徴とするデータアクセス方法。
【請求項３】
請求項１記載のデータアクセス方法において、
アドレス変換装置が、検索の結果、該当するレコードがあれば、当該レコードの全部又は一部の情報をユーザ端末へネットワークを介して送信するステップと、ユーザ端末が、アドレス変換装置からネットワークを介してレコードの全部又は一部の情報を受信し、該受信したレコードの全部又は一部の情報を用いて前記一の有体物に関するコンテンツ情報にネットワークを介してアクセスするステップとに代えて、
アドレス変換装置が、検索の結果、該当するレコードがある場合、当該レコードのロケーションアドレスが受信したロケーションアドレスに含まれる位置情報より下位の位置情報を含むかどうかを判定する第１のステップと、
アドレス変換装置が、判定の結果、下位の位置情報を含む場合は当該下位の位置情報をそれに続く有体物の識別情報もしくは更に下位の位置情報へのリンク情報とともにユーザ端末へネットワークを介して送信する第２のステップと、
ユーザ端末が、アドレス変換装置からネットワークを介して下位の位置情報をそれに続く有体物の識別情報もしくは更に下位の位置情報へのリンク情報とともに受信し、該受信した下位の位置情報を表示する第３のステップと、
ユーザ端末が、ユーザからの下位の位置情報の選択を受け付け、該選択された下位の位置情報に続く有体物の識別情報もしくは更に下位の位置情報へのリンク情報をアドレス変換装置へネットワークを介して送信する第４のステップと、
アドレス変換装置が、該選択された下位の位置情報に続く有体物の識別情報もしくは更に下位の位置情報へのリンク情報をユーザ端末からネットワークを介して受信し、ロケーションアドレスが前記選択された下位の位置情報より更に下位の位置情報を含むかどうかを判定し、更に下位の位置情報を含まなくなるまで前記第２のステップから第４のステップまでを繰り返す第５のステップと、
アドレス変換装置が、判定の結果、下位の位置情報を含まない場合もしくは更に下位の位置情報を含まなくなった場合は有体物の識別情報をそれに対応するネットワークアドレスとともにユーザ端末へネットワークを介して送信する第６のステップと、
ユーザ端末が、アドレス変換装置からネットワークを介して有体物の識別情報をそれに対応するネットワークアドレスとともに受信し、該受信した有体物の識別情報を表示する第７のステップと、
ユーザ端末が、ユーザからの有体物の識別情報の選択を受け付け、該選択された識別情報に対応するネットワークアドレスを用いて前記一の有体物に関するコンテンツ情報にネットワークを介してアクセスする第８のステップとを含む
ことを特徴とするデータアクセス方法。
【請求項４】
請求項１乃至３いずれか記載のデータアクセス方法において、
前記一の有体物に関するコンテンツ情報へのアクセスとは、
ネットワークを介して当該コンテンツ情報を要求し、受信し、表示する、
もしくは、
ユーザからの当該コンテンツ情報に関する追加情報の入力を受け付け、該受け付けた追加情報をネットワークを介して送信する
ことを特徴とするデータアクセス方法。
【請求項５】
請求項１乃至４いずれか記載のデータアクセス方法において、
ユーザ端末が、ユーザからの一の有体物に対応するロケーションアドレスの入力を受け付け、該受け付けたロケーションアドレスをアドレス変換装置へネットワークを介して送信するステップに代えて、
ユーザ端末が、一の有体物に関係する中間媒体に付されたＩＤタグであって該一の有体物に対応するロケーションアドレスを記憶したＩＤタグから当該ロケーションアドレスを読み取り、該読み取ったロケーションアドレスをアドレス変換装置へネットワークを介して送信するステップを含む
ことを特徴とするデータアクセス方法。
【請求項６】
有体物の識別情報と、当該有体物が存在する地理的な場所を表すアドレスであって住所及び該住所より下位の位置情報を少なくとも１つ組み合わせてなるロケーションアドレスと、当該有体物に関するコンテンツ情報が格納されたネットワーク上の場所を表すネットワークアドレスとを少なくとも含む有体物を単位とするレコードからなるデータベースに、ロケーションアドレスを登録する方法であって、
有体物固有の識別情報を記憶し、当該有体物に取り付けられるＩＤタグと、ネットワークを介して前記データベースを管理するアドレス変換装置と通信可能なＩＤリーダとを用い、
ＩＤリーダが、ＩＤタグから識別情報を読み取るとともにユーザからの一の有体物に対応するロケーションアドレスの入力を受け付け、該受け付けたロケーションアドレスを前記識別情報とともにアドレス変換装置へネットワークを介して送信するステップと、
アドレス変換装置が、ＩＤリーダからネットワークを介して有体物の識別情報及びロケーションアドレスを受信し、該受信した識別情報を含むレコードをデータベースから検索するステップと、
アドレス変換装置が、検索の結果、該当するレコードがあれば当該レコードに前記受信したロケーションアドレスを登録し、該当するレコードがなければデータベースに新たなレコードを作成し、これに前記受信した識別情報及びロケーションアドレスを登録するステップとを含む
ことを特徴とするアドレス登録方法。
【請求項７】
有体物の識別情報と、当該有体物が存在する地理的な場所を表すアドレスであって住所及び該住所より下位の位置情報を少なくとも１つ組み合わせてなるロケーションアドレスと、当該有体物に関するコンテンツ情報が格納されたネットワーク上の場所を表すネットワークアドレスとを少なくとも含む有体物を単位とするレコードからなるデータベースに、ロケーションアドレスを登録する方法であって、
有体物固有の識別情報を記憶し、当該有体物に取り付けられるＩＤタグと、ネットワークを介して前記データベースを管理するアドレス変換装置と通信可能なＩＤリーダとを用い、
ＩＤリーダが、複数のＩＤタグから識別情報をそれぞれ読み取り、該読み取った複数の識別情報をアドレス変換装置へネットワークを介して送信するステップと、
アドレス変換装置が、ＩＤリーダからネットワークを介して複数の有体物の識別情報を受信し、該受信した複数の識別情報をそれぞれ含むレコードをデータベースから検索するステップと、
アドレス変換装置が、検索の結果、該当するレコードのない識別情報があればデータベースに新たなレコードを作成し、これに当該識別情報及び該当するレコードのある識別情報に対応するロケーションアドレスを登録するステップとを含む
ことを特徴とするアドレス登録方法。
【請求項８】
有体物が存在する地理的な場所を表すアドレスであって住所及び該住所より下位の位置情報を少なくとも１つ組み合わせてなるロケーションアドレスと、当該有体物に関するコンテンツ情報が格納されたネットワーク上の場所を表すネットワークアドレスとを関連付けるアドレス変換装置であって、
有体物の識別情報と、当該有体物のロケーションアドレスと、当該有体物のネットワークアドレスとを少なくとも含む有体物を単位とするレコードからなるデータベースと、
ロケーションアドレスが入力されると、該ロケーションアドレスをキーとしてデータベースを検索し、検索の結果、該当するレコードがあれば当該レコードの情報を出力するロケーションアドレス・レコード関連決定部と、
ユーザ端末からネットワークを介してロケーションアドレスを受信すると、該ロケーションアドレスをロケーションアドレス・レコード関連決定部へ入力するロケーションアドレス受信部と、
ロケーションアドレス・レコード関連決定部からレコードの情報が出力されると、該レコードの情報をユーザ端末へネットワークを介して送信するレコード情報送信部とを備えた
ことを特徴とするアドレス変換装置。
【請求項９】
有体物が存在する地理的な場所を表すアドレスであって住所及び該住所より下位の位置情報を少なくとも１つ組み合わせてなるロケーションアドレスと、当該有体物に関するコンテンツ情報が格納されたネットワーク上の場所を表すネットワークアドレスとを関連付けるアドレス変換装置であって、
有体物の識別情報と、当該有体物のロケーションアドレスと、当該有体物のネットワークアドレスとを少なくとも含む有体物を単位とするレコードからなるデータベースと、
ロケーションアドレスが入力されると、該ロケーションアドレスをキーとしてデータベースを検索し、検索の結果、該当するレコードがあれば、当該レコードの情報を出力するロケーションアドレス・レコード関連決定部と、
ロケーションアドレス・レコード関連決定部から出力されるレコードの情報を受け取り、当該レコードのロケーションアドレスが、ロケーションアドレス・レコード関連決定部に入力されたロケーションアドレスに含まれる位置情報より下位の位置情報を含むかどうかを判定し、下位の位置情報を含む場合は当該下位の位置情報をそれに続く有体物の識別情報もしくは更に下位の位置情報へのリンク情報とともに出力し、下位の位置情報に続く有体物の識別情報もしくは更に下位の位置情報へのリンク情報が入力されると、該下位の位置情報より更に下位の位置情報を含むかどうかを判定し、更に下位の位置情報を含まなくなるまで下位の位置情報をそれに続く有体物の識別情報もしくは更に下位の位置情報へのリンク情報とともに出力し、下位の位置情報を含まない場合もしくは更に下位の位置情報を含まなくなった場合は有体物の識別情報をそれに対応するネットワークアドレスとともに出力する情報抽出部と、
ユーザ端末からネットワークを介してロケーションアドレスを受信すると、該ロケーションアドレスをロケーションアドレス・レコード関連決定部へ入力し、ユーザ端末からネットワークを介して下位の位置情報に続く有体物の識別情報もしくは更に下位の位置情報へのリンク情報を受信すると、該下位の位置情報に続く有体物の識別情報もしくは更に下位の位置情報へのリンク情報を情報抽出部へ入力するロケーションアドレス受信部と、
情報抽出部から下位の位置情報がそれに続く有体物の識別情報もしくは更に下位の位置情報へのリンク情報とともにあるいは有体物の識別情報がそれに対応するネットワークアドレスとともに出力されると、該下位の位置情報をそれに続く有体物の識別情報もしくは更に下位の位置情報へのリンク情報とともにあるいは有体物の識別情報をそれに対応するネットワークアドレスとともにユーザ端末へネットワークを介して送信するレコード情報送信部とを備えた
ことを特徴とするアドレス変換装置。
【請求項１０】
有体物の識別情報と、当該有体物が存在する地理的な場所を表すアドレスであって住所及び該住所より下位の位置情報を少なくとも１つ組み合わせてなるロケーションアドレスと、当該有体物に関するコンテンツ情報が格納されたネットワーク上の場所を表すネットワークアドレスとを少なくとも含む有体物を単位とするレコードからなるデータベースを有し、ネットワークを介してＩＤリーダと通信可能なアドレス変換装置であって、
識別情報及びロケーションアドレスが入力されると、該識別情報を含むレコードをデータベースから検索し、該当するレコードがあれば当該レコードに前記ロケーションアドレスを登録し、該当するレコードがなければデータベースに新たなレコードを作成し、これに前記識別情報及びロケーションアドレスを登録する識別情報・ロケーションアドレス関連決定部と、
ＩＤリーダからネットワークを介して有体物の識別情報を受信すると、該識別情報を識別情報・ロケーションアドレス関連決定部へ入力する識別情報受信部と、
ＩＤリーダからネットワークを介してロケーションアドレスを受信すると、該ロケーションアドレスを識別情報・ロケーションアドレス関連決定部へ入力するロケーションアドレス受信部とを備えた
ことを特徴とするアドレス変換装置。
【請求項１１】
有体物の識別情報と、当該有体物が存在する地理的な場所を表すアドレスであって住所及び該住所より下位の位置情報を少なくとも１つ組み合わせてなるロケーションアドレスと、当該有体物に関するコンテンツ情報が格納されたネットワーク上の場所を表すネットワークアドレスとを少なくとも含む有体物を単位とするレコードからなるデータベースを有し、ネットワークを介してＩＤリーダと通信可能なアドレス変換装置であって、
識別情報が複数入力されると、各識別情報を含むレコードをデータベースから検索し、該当するレコードのない識別情報があればデータベースに新たなレコードを作成し、これに当該識別情報及び該当するレコードのある識別情報に対応するロケーションアドレスを登録する識別情報・ロケーションアドレス関連決定部と、
ＩＤリーダからネットワークを介して有体物の識別情報を受信すると、該有体物の識別情報を識別情報・ロケーションアドレス関連決定部へ入力する識別情報受信部とを備えた
ことを特徴とするアドレス変換装置。
【発明の詳細な説明】
【技術分野】
【０００１】
本発明は、ネットワーク上のサーバやデータベースに格納されたコンテンツ情報にユーザ端末からネットワークを介してアクセスするための技術に関する。
【背景技術】
【０００２】
現在、ネットワーク上のサーバやデータベースに格納されたコンテンツ情報にユーザ端末からネットワークを介してアクセスする場合、当該コンテンツ情報が格納されたネットワーク上の場所を表すネットワークアドレス、例えばインターネットであればＵＲＬやＩＰアドレスを用いて行っている。これらのネットワークアドレスは、主体が実体のない電子情報であるコンテンツ情報そのものである場合に、当該コンテンツ情報にアクセスするには非常に有効であるが、主体が実体のある物（以下、有体物と呼ぶ。）であって当該有体物に関するコンテンツ情報にアクセスしようとする場合には直観的でなく、ユーザにとって分かり難い。
【０００３】
これを解決するために、実際の住所に従って有体物に関するコンテンツ情報へとアクセスする方法として、Ｍａｐｉｏｎ（登録商標）やＹａｈｏｏ！地図情報（登録商標）などがある。郵便番号や住所をキーワードとして目的の場所へとアクセスしたり、表示されている地図からそのまま目的の場所を絞り込んで検索し、アクセスできる。
【０００４】
しかし、この方法では住所が割り振られている有体物、即ち建物等に関するコンテンツ情報へはアクセス可能であるが、住所が割り振られていないより詳細な有体物（一戸建ての部屋単位・机の上にある有体物など）に関するコンテンツ情報へ対してのアクセスは不可能である。
【０００５】
また、ＩＤタグを用いて有体物がどこにあるかを管理するシステム（特許文献１参照）が提案されている。これによれば、上記の地図サービスよりも、有体物が存在する詳細な場所を得られるが、ＩＤタグが付された有体物がどこにあるかを管理するものであり、ＩＤタグが付された有体物に関するコンテンツ情報を簡単にアクセスしたり、その情報を書き換えることついては言及されていない。
【０００６】
更に、ＩＤタグの付された有体物が存在する場所を予めＩＤタグ内に書き込み、かつそのＩＤタグを読み込んだ端末の緯度・経度を知ることで、ユーザに対して有体物が存在する場所やその付近にある情報を提示できるシステム（特許文献２参照）が提案されているが、これはＩＤタグを読み込める場所にユーザがいなければならないため、遠隔から目的のＩＤタグがついた有体物に対する情報を得るには該当ＩＤタグ番号をユーザが知っている必要がある。
【特許文献１】特開２０００−３５７２５１号公報
【特許文献２】特開２００２−３２４０２１号公報
【発明の開示】
【発明が解決しようとする課題】
【０００７】
有体物に関するコンテンツ情報へのアクセスに際し、
１．当該有体物が存在する地理的な場所から、ユーザにとって分かり易く、
２．通常の住所で定められていないような詳細な地理的な場所（部屋単位など）についての指定を可能とするアクセス方法、アドレス登録方法及びその装置を提供する。
【課題を解決するための手段】
【０００８】
本発明では、前記課題を解決するため、ネットワーク上のサーバやデータベースに格納されたコンテンツ情報のうち、有体物に関するコンテンツ情報にユーザ端末からネットワークを介してアクセスする方法であって、有体物の識別情報と、当該有体物が存在する地理的な場所を表すアドレスであって住所及び該住所より下位の位置情報を少なくとも１つ組み合わせてなるロケーションアドレスと、当該有体物に関するコンテンツ情報が格納されたネットワーク上の場所を表すネットワークアドレスとを少なくとも含む有体物を単位とするレコードからなるデータベースを有し、ネットワークを介してユーザ端末と通信可能なアドレス変換装置を用い、ユーザ端末が、ユーザからの一の有体物に対応するロケーションアドレスの入力を受け付け、該受け付けたロケーションアドレスをアドレス変換装置へネットワークを介して送信するステップと、アドレス変換装置が、ユーザ端末からネットワークを介してロケーションアドレスを受信し、該受信したロケーションアドレスを含むレコードをデータベースから検索するステップと、アドレス変換装置が、検索の結果、該当するレコードがあれば、当該レコードの全部又は一部の情報をユーザ端末へネットワークを介して送信するステップと、ユーザ端末が、アドレス変換装置からネットワークを介してレコードの全部又は一部の情報を受信し、該受信したレコードの全部又は一部の情報を用いて前記一の有体物に関するコンテンツ情報にネットワークを介してアクセスするステップとを含むデータアクセス方法を提案する。
【０００９】
また、有体物の識別情報と、当該有体物が存在する地理的な場所を表すアドレスであって住所及び該住所より下位の位置情報を少なくとも１つ組み合わせてなるロケーションアドレスと、当該有体物に関するコンテンツ情報が格納されたネットワーク上の場所を表すネットワークアドレスとを少なくとも含む有体物を単位とするレコードからなるデータベースに、ロケーションアドレスを登録する方法であって、有体物固有の識別情報を記憶し、当該有体物に取り付けられるＩＤタグと、ネットワークを介して前記データベースを管理するアドレス変換装置と通信可能なＩＤリーダとを用い、ＩＤリーダが、ＩＤタグから識別情報を読み取るとともにユーザからの一の有体物に対応するロケーションアドレスの入力を受け付け、該受け付けたロケーションアドレスを前記識別情報とともにアドレス変換装置へネットワークを介して送信するステップと、アドレス変換装置が、ＩＤリーダからネットワークを介して有体物の識別情報及びロケーションアドレスを受信し、該受信した識別情報を含むレコードをデータベースから検索するステップと、アドレス変換装置が、検索の結果、該当するレコードがあれば当該レコードに前記受信したロケーションアドレスを登録し、該当するレコードがなければデータベースに新たなレコードを作成し、これに前記受信した識別情報及びロケーションアドレスを登録するステップとを含むアドレス登録方法を提案する。
【００１０】
また、有体物が存在する地理的な場所を表すアドレスであって住所及び該住所より下位の位置情報を少なくとも１つ組み合わせてなるロケーションアドレスと、当該有体物に関するコンテンツ情報が格納されたネットワーク上の場所を表すネットワークアドレスとを関連付けるアドレス変換装置であって、有体物の識別情報と、当該有体物のロケーションアドレスと、当該有体物のネットワークアドレスとを少なくとも含む有体物を単位とするレコードからなるデータベースと、ロケーションアドレスが入力されると、該ロケーションアドレスをキーとしてデータベースを検索し、検索の結果、該当するレコードがあれば当該レコードの情報を出力するロケーションアドレス・レコード関連決定部と、ユーザ端末からネットワークを介してロケーションアドレスを受信すると、該ロケーションアドレスをロケーションアドレス・レコード関連決定部へ入力するロケーションアドレス受信部と、ロケーションアドレス・レコード関連決定部からレコードの情報が出力されると、該レコードの情報をユーザ端末へネットワークを介して送信するレコード情報送信部とを備えたアドレス変換装置を提案する。
【００１１】
なお、前記以外のデータアクセス方法、アドレス登録方法及びアドレス変換装置、並びにそれらの詳細については発明の実施の形態において説明する。
【００１２】
また、本明細書でいう「住所」とは、都道府県名、市名または群名（または区名）、町名または村名（または区名）、番地（『建物名』を含む場合もある。）まで（位置情報の範囲が複数の国に亘る場合は国名を含む。）を言うものとする。
【発明の効果】
【００１３】
本発明によれば、有体物に関するコンテンツ情報へのアクセスに際し、
１．当該有体物が存在する地理的な場所から、ユーザにとって分かり易く、
２．通常の住所で定められていないような詳細な地理的な場所（部屋単位など）についての指定が可能となる。また、有体物の場所に対しての詳細なアドレスが付与されているため、ユーザが欲した有体物の物理的に近辺にある有体物の情報もユーザは気軽に入手することが可能である。
【発明を実施するための最良の形態】
【００１４】
以下、本発明の実施の形態を図面に基づいて説明する。
【００１５】
＜実施の形態１＞
図１は本発明の第１の実施の形態、ここではユーザが有体物に関するコンテンツ情報を閲覧する場合のシステム構成の一例を示すもので、図中、１は有体物（固体は勿論、何らかの容器に収容された液体や気体も含むものとする。）、２は有体物１に関するコンテンツ情報が格納されているコンテンツサーバ、３はユーザが欲しい情報を取得するためのユーザ端末、４はロケーションアドレス（以下、ＬＡと記す。）とネットワークアドレスとの関連付けを行うアドレス変換装置（以下、位置情報関連付けサーバ）、５は有体物１固有のＩＤ番号を記憶し、有体物１に付されたＩＤタグ、６はＩＤタグ５を読み取り、ＩＤ番号をサーバへ送信するＩＤタグリーダ、７はコンテンツサーバ２、ユーザ端末３、位置情報関連付けサーバ４及びＩＤタグリーダ６を接続するネットワークである。
【００１６】
ユーザ端末３は、ユーザからの有体物１に対応するＬＡの入力を受け付けるＬＡ入力部３１と、入力されたＬＡを位置情報関連付けサーバ４へネットワーク７を介して送信するＬＡ送信部３２と、位置情報関連付けサーバ４からネットワーク７を介してレコードの情報を受信する情報受信部３３と、受信したレコードのＬＡを解読するＬＡ解釈部３４と、ＬＡ解釈部３４に基づいて表示を行う表示部３５と、コンテンツサーバ２に対してネットワーク７を介してコンテンツ情報を要求するコンテンツ要求部３６と、コンテンツサーバ２からネットワーク７を介してコンテンツ情報を受信するコンテンツ受信部３７とから構成されている。
【００１７】
位置情報関連付けサーバ４は、有体物の識別情報と、当該有体物が存在する地理的な場所を表すアドレスであって住所及び該住所より下位の位置情報を少なくとも１つ組み合わせてなるロケーションアドレスと、当該有体物に関するコンテンツ情報が格納されたネットワーク上の場所を表すネットワークアドレスとを少なくとも含む有体物を単位とする複数のレコードからなるデータベース（ＤＢ）４１と、ＬＡが入力されると、該ＬＡをキーとしてデータベース４１を検索し、検索の結果、該当するレコードがあれば当該レコードの情報を出力するＬＡ・レコード関連決定部４２と、ユーザ端末３からネットワーク７を介してＬＡを受信すると、該ＬＡをＬＡ・レコード関連決定部４２へ入力するＬＡ受信部４３と、ＬＡ・レコード関連決定部４２からレコードの情報が出力されると、該レコードの情報をユーザ端末３へネットワーク７を介して送信するレコード情報送信部４４とから構成されている。
【００１８】
図２はデータベース４１の一例を示すもので、ここでは有体物の識別情報として、当該有体物の名称（識別名）と、ＩＤタグ５にも記憶される各有体物固有のＩＤ番号とを用いている。また、ＬＡは、住所を構成する大きな区分から小さな区分までの各要素（『都道府県名』、『市名または群名（または区名）』、『町名または村名（または区名）』、『番地』）を、該住所より下位の位置情報（『部屋名（番号）』、『部屋内の区分』、…）とともに、ドット「．」で区切って表している（なお、ドット「．」を用いたのは一例であって、別の記号を用いても構わない。）。また、住所より下位の位置情報についても、原則として、住所の場合と同様、大まかな情報→詳細な情報とドットの後段へ進む程、情報の精度が詳細化していくように変化するのが望ましい。また、コンテンツ情報の格納場所（ネットワークアドレス）は、周知のＵＲＬやＩＰアドレスで表されている。
【００１９】
なお、ＩＤタグリーダ６については、本実施の形態では直接使用しないので、詳細な説明を省略する。
【００２０】
以下、ユーザがユーザ端末３を用いて任意の有体物１に関するコンテンツ情報を閲覧する場合の動作を説明する。
【００２１】
ユーザは、ユーザ端末３のＬＡ入力部３１に任意の有体物１が存在する場所のＬＡを入力する。ここで、任意の有体物１が勤め先の居室内にある試作機であったとすると、この時、ユーザは、図３の（ａ）に示すように、試作機がある場所のＬＡ、つまり”神奈川．横須賀．光の丘．１−１．３２０Ｃ”と入力する。
【００２２】
なお、例として挙げたＬＡは日本語表記としているが、”ｋａｎａｇａｗａ．ｙｏｋｏｓｕｋａ．ｈｉｋａｒｉｎｏｏｋａ．１−１．３２０Ｃ”のように英数字での入力でも構わない。
【００２３】
ＬＡ入力部３１にＬＡが入力されると、ユーザ端末３のＬＡ送信部３２はネットワーク７を介して位置情報関連付けサーバ４のＬＡ受信部４３と接続し、前記入力されたＬＡを送信する。ＬＡ受信部４３はＬＡを受信すると、これをＬＡ・レコード関連決定部４２へ入力する。ＬＡ・レコード関連決定部４２はＬＡ受信部４３からＬＡが入力されると、該ＬＡをキーとしてＤＢ４１を検索し、該当するレコードの情報をレコード情報送信部４４へ出力する。
【００２４】
図３の例を用いて説明すると、”神奈川．横須賀．光の丘．１−１．３２０Ｃ”のＬＡと一致するのは、ＩＤ番号１−００１，１−００２，１−００３，２−１００の４つのレコードであるため、この４つのレコードの情報がレコード情報送信部４４へ出力される。
【００２５】
ここでいうレコードの情報とは、図２に例として挙げているが、ＩＤ番号・ＬＡ・識別名・コンテンツ情報格納場所からなる情報である。
【００２６】
次に、レコード情報送信部４４はネットワーク７を介してユーザ端末３のレコード情報受信部３３と接続し、前記４つのレコードの情報を送信する。レコード情報受信部３３はレコードの情報を受信すると、これをＬＡ解釈部３４へ入力する。
【００２７】
ＬＡ解釈部３４はレコード受信部３３からレコードの情報が入力されると、各レコードの情報内のＬＡの階層構造を解釈し、表示部３５に表示する。
【００２８】
この時、ＬＡ解釈部３４はそれぞれのＬＡをみて階層構造になることが分かるため、図３の（ａ）の表示例のようにツリー形式で表示することも可能である。また、ＬＡの階層構造に従って表示が出来ないユーザ端末の場合、有体物の識別名（Ｌｉｎａｘ  Ｍａｇａｚｉｎｅ，日日ジャーナル，人工学学会誌，試作機の４つ）を順に並べて表示したり、ユーザが入力したＬＡの最後尾に続くＬＡの一部分だけを表示（この場合は、お茶場と居室の２つ）しても良い。ＬＡの一部分のみを表示させる場合は、その後に有体物の識別名（もしくは更に階層構造の奥に当たるＬＡの一部分）が続くため、当該有体物の識別名（もしくは更に階層構造の奥に当たるＬＡの一部分）を表示するためのリンクが張られている状態になる。
【００２９】
レコードの情報にコンテンツ情報格納場所のＵＲＬが含まれる場合は、表示された有体物の識別名にコンテンツ情報格納場所のリンクが張られる。ユーザが表示部３５に表示された４つの有体物の識別名の一つ、ここでは「試作機」を選択すると、コンテンツ要求部３６はそのリンクに基づいてネットワーク７を介してコンテンツサーバ２と接続し、当該コンテンツ情報を要求する。コンテンツ受信部３７はコンテンツサーバ２からネットワーク７を介して送信されてきたコンテンツ情報を受信し、これを表示部３５に表示、例えば図３の（ｂ）に示すように表示する。
【００３０】
また、ここではＬＡをユーザが手作業で入力する例を挙げたが、それ以外の方法で行っても良い。
【００３１】
図４は本発明の第１の実施の形態の変形例、ここではユーザ端末においてＬＡの入力にＩＤタグを利用した例を示す。即ち、図中、８は有体物１からは遠い場所にあるが、該有体物１に関係する地図やパンフレットなどの中間媒体（有体物１の位置を示す媒体も含む）であり、該有体物１に対応するＬＡを記憶したＩＤタグ９が付されている。
【００３２】
これは、中間媒体８内に目的の有体物が存在する場所の情報が記載されていて、この場所に存在する有体物に関するコンテンツ情報や近くにある有体物の情報を得る時などに適している。例えば、「金沢兼六園」のパンフレットがあり、その「夫婦松」のページにＩＤタグ９が付されており、そのＩＤタグ９内には”石川．金沢．兼六町．夫婦松”というＬＡが書き込まれているような場合、ＩＤタグリーダ機能を有するＬＡ入力部３１ａを備えたユーザ端末３によって前記ＩＤタグ９からＬＡを読み取り、これをネットワーク７を介して位置情報関連付けサーバ４へ送信することにより、前記同様にコンテンツ情報格納場所のＵＲＬを得て、閲覧することが可能となる。
【００３３】
＜実施の形態２＞
図５は本発明の第２の実施の形態、ここでは第１の実施の形態においてＬＡ解釈部を持たず、ＬＡの階層構造を理解できないユーザ端末であってもコンテンツ情報を閲覧可能とした例を示す。
【００３４】
即ち、図中、４５は位置情報関連付けサーバ４に設けられたレコード情報抽出部であり、ＬＡ・レコード関連決定部４２から出力されるレコードの情報を受け取り、当該レコードのＬＡが、ＬＡ・レコード関連決定部４２に入力されたＬＡに含まれる位置情報より下位の位置情報を含むかどうかを判定し、下位の位置情報を含む場合は当該下位の位置情報をそれに続く有体物の識別情報もしくは更に下位の位置情報へのリンク情報とともにレコード情報送信部４４に出力し、ＬＡ受信部４３から下位の位置情報に続く有体物の識別情報もしくは更に下位の位置情報へのリンク情報が入力されると、該下位の位置情報より更に下位の位置情報を含むかどうかを判定し、更に下位の位置情報を含まなくなるまで下位の位置情報をそれに続く有体物の識別情報もしくは更に下位の位置情報へのリンク情報とともにレコード情報送信部４４に出力し、下位の位置情報を含まない場合もしくは更に下位の位置情報を含まなくなった場合は有体物の識別情報をそれに対応するネットワークアドレスとともに出力するレコード情報送信部４４に出力する。
【００３５】
また、ここで、ＬＡ受信部４３は、ユーザ端末３からネットワーク７を介してＬＡを受信すると、該ＬＡをＬＡ・レコード関連決定部４２へ入力し、ユーザ端末３からネットワーク７を介して下位の位置情報に続く有体物の識別情報もしくは更に下位の位置情報へのリンク情報を受信すると、該下位の位置情報に続く有体物の識別情報もしくは更に下位の位置情報へのリンク情報をレコード情報抽出部４５へ入力する。また、レコード情報送信部４４は、レコード情報抽出部４５から下位の位置情報がそれに続く有体物の識別情報もしくは更に下位の位置情報へのリンク情報とともにあるいは有体物の識別情報がそれに対応するネットワークアドレスとともに出力されると、該下位の位置情報をそれに続く有体物の識別情報もしくは更に下位の位置情報へのリンク情報とともにあるいは有体物の識別情報をそれに対応するネットワークアドレスとともにユーザ端末３へネットワーク７を介して送信する。
【００３６】
前記構成において、ユーザ端末３のＬＡ入力部３１でＬＡが入力され、ＬＡ送信部３２−ネットワーク７−ＬＡ受信部４３を介して位置情報関連付けサーバ４のＬＡ・レコード関連決定部４２へ送信されると、ＬＡ・レコード関連決定部４２は該ＬＡをキーとしてＤＢ４１を検索し、該当するレコードの情報をレコード情報抽出部４５へ出力する。
【００３７】
レコード情報抽出部４５は、該当するレコードのＬＡとＬＡ受信部４３で受信したＬＡとを比較し、該当するレコードのＬＡが受信したＬＡに含まれる位置情報より下位の位置情報を含む場合、当該下位の位置情報をそれに続く有体物の識別情報もしくは更に下位の位置情報へのリンク情報とともにレコード情報送信部４４に出力する。
【００３８】
例えば、ユーザ端末３で入力され、位置情報関連付けサーバ４へ送信されたＬＡが第１の実施の形態の場合と同様の”神奈川．横須賀．光の丘．１−１．３２０Ｃ”であるとすると、該当する４つのレコードのＬＡには、より下位の位置情報として「お茶場」及び「居室」の２つが含まれるが、更に下位の位置情報は含まれないため、当該下位の位置情報「お茶場」及び「居室」を該当する有体物の識別情報、ここでは位置情報「お茶場」については有体物の識別名「Ｌｉｎａｘ  Ｍａｇａｚｉｎｅ」、「日日ジャーナル」、「人工学学会誌」へのリンク情報とともに、また、位置情報「居室」については有体物の識別名「試作機」へのリンク情報とともにレコード情報送信部４４に出力する。
【００３９】
レコード情報送信部４４は、前記下位の位置情報をそれに続く有体物の識別情報もしくは更に下位の位置情報へのリンク情報とともに、ネットワーク７−レコード情報受信部３３を介してユーザ端末３の表示部３５へ送信し、表示部３５は該下位の位置情報を表示する。前述した例では、図６の（ａ）に示すように「お茶場」及び「居室」を表示する。
【００４０】
ユーザが表示部３５に表示された下位の位置情報の一つを選択すると、当該下位の位置情報に続く有体物の識別情報もしくは更に下位の位置情報へのリンク情報がＬＡと同様に、ＬＡ送信部３２から位置情報関連付けサーバ４のＬＡ受信部４３へ送信される。前述した例では、２つの下位の位置情報の一つ、例えば「お茶場」を選択すると、有体物の識別名「Ｌｉｎａｘ  Ｍａｇａｚｉｎｅ」、「日日ジャーナル」、「人工学学会誌」へのリンク情報が送信される。
【００４１】
ＬＡ受信部４３で受信されたリンク情報はレコード情報抽出部４５に入力され、レコード情報抽出部４５は当該リンク情報が有体物の識別情報へのリンク情報か更に下位の位置情報へのリンク情報かを判定、言い換えればレコードのＬＡが前記選択された下位の位置情報より更に下位の位置情報を含むかどうかを判定し、更に下位の位置情報を含まなくなるまで、つまり受信したリンク情報が有体物の識別情報へのリンク情報となるまで前記同様の動作を繰り返す。その後、レコード情報抽出部４５は有体物の識別情報をそれに対応するネットワークアドレスとともにレコード情報送信部４４へ出力する。
【００４２】
前述した例では、受信したリンク情報は有体物の識別名「Ｌｉｎａｘ  Ｍａｇａｚｉｎｅ」、「日日ジャーナル」、「人工学学会誌」へのリンク情報であり、レコードのＬＡは前記選択された下位の位置情報より更に下位の位置情報を含まないので、レコード情報抽出部４５は有体物の識別名「Ｌｉｎａｘ  Ｍａｇａｚｉｎｅ」、「日日ジャーナル」、「人工学学会誌」をそれらに対応するネットワークアドレスとともにレコード情報送信部４４へ出力する。
【００４３】
レコード情報送信部４４は、有体物の識別情報をそれに対応するネットワークアドレスとともに、ネットワーク７−レコード情報受信部３３を介してユーザ端末３の表示部３５へ送信し、表示部３５は該有体物の識別情報を表示する。前述した例では、図６の（ｂ）に示すように「Ｌｉｎａｘ  Ｍａｇａｚｉｎｅ」、「日日ジャーナル」、「人工学学会誌」を表示する。
【００４４】
なお、以降の動作及び他の構成は第１の実施の形態の場合と同様である。
【００４５】
図７は本発明の第２の実施の形態の変形例、ここではユーザ端末においてＬＡの入力にＩＤタグを利用した例を示すもので、該ＬＡの入力に係わる部分の構成及び動作が図４の例の場合と同様になる以外、その構成及び動作とも前記第２の実施の形態の場合と同一である。
【００４６】
＜実施の形態３＞
図８は本発明の第３の実施の形態、ここではユーザが有体物に関するコンテンツ情報に新たなコンテンツ情報を追加する場合のシステム構成の一例を示すものである。
【００４７】
ユーザ端末３は、第１の実施の形態で説明した構成に加え、ユーザからの一の有体物に関する新たなコンテンツ情報の入力を受け付けるコンテンツ情報入力部３８及び入力された新たなコンテンツ情報をコンテンツサーバ２へネットワーク７を介して送信するコンテンツ情報送信部３９を備えている。なお、その他の構成は第１の実施の形態の場合と同様である。
【００４８】
以下、動作について説明するが、ユーザ端末３が、ユーザから入力されたコンテンツ情報を付加したい有体物のＬＡをネットワーク７を介して位置情報関連付けサーバ４へ送信し、該位置情報関連付けサーバ４からネットワーク７を介して送信されてきた該当するレコードの情報を受信し、コンテンツサーバ２にコンテンツ情報を要求し、受信して表示するところまでは第１の実施の形態の場合と同様である。
【００４９】
図９は第１の実施の形態における図３と同様な図であるが、コンテンツ情報の書き込みを許す場合、コンテンツサーバ２はコンテンツ情報にコンテンツ書き込みのためのリンクを張ってユーザ端末３に送るため、表示部３５には図９の（ｂ）に示すようにコンテンツ書き込みのための選択項目（図面では「新規情報の入力」）が表示された状態となる。
【００５０】
従って、ユーザが表示部３５で前述した項目を選択すると、図９の（ｃ）に示すように新規情報の入力画面が表示され、ユーザがコンテンツ情報入力部３８から新たなコンテンツ情報を入力すると、コンテンツ情報送信部３９によってネットワーク７を介してコンテンツサーバ２へ送信され、ユーザが入力した新たなコンテンツ情報が反映されることとなる。
【００５１】
なお、図９では新規情報として文字を入力する場合の画面の例を挙げたが、この他、声を入力したり、図や音楽や映像を入力したりすることも可能である。
【００５２】
図１０は本発明の第３の実施の形態の変形例、ここではユーザ端末においてＬＡの入力にＩＤタグを利用した例を示すもので、該ＬＡの入力に係わる部分の構成及び動作が図４の例の場合と同様になる以外、その構成及び動作とも前記第３の実施の形態の場合と同一である。
【００５３】
＜実施の形態４＞
図１１は本発明の第４の実施の形態、ここでは第３の実施の形態においてＬＡ解釈部を持たず、ＬＡの階層構造を理解できないユーザ端末であっても新たなコンテンツ情報を追加可能とした例を示すもので、目的とするコンテンツ情報へのアクセスに係わる部分の構成及び動作が図５の例の場合と同様になる以外、その構成及び動作とも前記第３の実施の形態の場合と同一である。
【００５４】
図１２は本発明の第４の実施の形態の変形例、ここではユーザ端末においてＬＡの入力にＩＤタグを利用した例を示すもので、該ＬＡの入力に係わる部分の構成及び動作が図４の例の場合と同様になる以外、その構成及び動作とも第４の実施の形態の場合と同一である。
【００５５】
＜実施の形態５＞
図１３は本発明の第５の実施の形態、ここでは新しく設置された有体物にＬＡを手作業で付与してデータベースに登録する場合のシステム構成の一例を示すものである。
【００５６】
ＩＤタグリーダ６は、有体物１に付されたＩＤタグ５から識別情報、ここではＩＤ番号を読み取るＩＤ番号読取部６１と、読み取ったＩＤ番号に対応するユーザからのＬＡの入力を受け付ける新規ＬＡ入力部６２と、読み取ったＩＤ番号及び入力されたＬＡを位置情報関連付けサーバ４へネットワーク７を介して送信するＩＤ番号・ＬＡ送信部６３とから構成されている。
【００５７】
位置情報関連付けサーバ４は、データベース（ＤＢ）４１と、識別情報、ここではＩＤ番号及びＬＡが入力されると、該ＩＤ番号を含むレコードをＤＢ４１から検索し、該当するレコードがあれば当該レコードに前記ＬＡを登録し、該当するレコードがなければＤＢ４１に新たなレコードを作成し、これに前記ＩＤ番号及びＬＡを登録するＩＤ番号・ＬＡ関連決定部４６と、ＩＤリーダ６からネットワーク７を介して有体物１のＩＤ番号を受信すると、該ＩＤ番号をＩＤ番号・ＬＡ関連決定部４６へ入力するＩＤ番号受信部４７と、ＩＤリーダ６からネットワーク７を介してＬＡを受信すると、該ＬＡをＩＤ番号・ＬＡ関連決定部４６へ入力するＬＡ受信部４８とから構成されている。
【００５８】
以下、ユーザがＩＤタグリーダ６を用いて、新しく設置された有体物１にＬＡを手作業で付与してデータベースに登録する場合の動作を説明する。
【００５９】
ユーザが、有体物１とＩＤリーダ６とを接近させると、ＩＤリーダ６のＩＤ番号読取部６１は有体物１に付されたＩＤタグ５のＩＤ番号を読み取る。また、ユーザは、ＩＤリーダ６の新規ＬＡ入力部６２に有体物１が存在する場所のＬＡを入力する。この際、ＬＡを手作業で入力する代わりに、図４の例で説明したような中間媒体に付された、ＬＡを記憶したＩＤタグを利用してＬＡを入力するようにしても良い。
【００６０】
新規ＬＡ入力部６２にＬＡが入力されると、ＩＤタグリーダ６のＩＤ番号・ＬＡ送信部６３はネットワーク７を介して位置情報関連付けサーバ４のＩＤ番号受信部４７及びＬＡ受信部４８と接続し、前記読み取ったＩＤ番号及び入力されたＬＡを送信する。
【００６１】
ＩＤ番号受信部４７及びＬＡ受信部４８はＩＤ番号及びＬＡを受信すると、これをＩＤ番号・ＬＡ関連決定部４６へ入力する。ＩＤ番号・ＬＡ連決定部４６はＩＤ番号受信部４７及びＬＡ受信部４８からＩＤ番号及びＬＡが入力されると、該ＩＤ番号を含むレコードをＤＢ４１から検索する。この際、該当するレコードがあれば登録済みの有体物のＬＡが変化したものとみなして当該レコードに前記ＬＡを登録し、該当するレコードがなければＤＢ４１に新たなレコードを作成し、これに前記ＩＤ番号及びＬＡを登録する。
【００６２】
この時、ユーザが手作業で入力する情報としてＬＡのみを挙げたが、有体物の識別名などの別の情報を入力することも可能である。
【００６３】
＜実施の形態６＞
図１４は本発明の第６の実施の形態、ここでは新しく設置された有体物にＬＡを半自動で付与してデータベースに登録する場合のシステム構成の一例を示すものである。
【００６４】
ＩＤタグリーダ６は、有体物１Ａ，１Ｂに付されたＩＤタグ５Ａ，５Ｂから識別情報、ここではＩＤ番号を読み取るＩＤ番号読取部６１と、読み取ったＩＤ番号を位置情報関連付けサーバ４へネットワーク７を介して送信するＩＤ番号送信部６４とから構成されている。
【００６５】
位置情報関連付けサーバ４は、データベース（ＤＢ）４１と、複数の識別情報、ここではＩＤ番号が入力されると、各ＩＤ番号を含むレコードをＤＢ４１から検索し、該当するレコードのないＩＤ番号があればＤＢ４１に新たなレコードを作成し、これに当該ＩＤ番号及び該当するレコードのあるＩＤ番号に対応するＬＡを登録するＩＤ番号・ＬＡ関連決定部４６ａと、ＩＤリーダ６からネットワーク７を介して有体物１Ａ，１ＢのＩＤ番号を受信すると、該ＩＤ番号をＩＤ番号・ＬＡ関連決定部４６ａへ入力するＩＤ番号受信部４７とから構成されている。
【００６６】
以下、既にＬＡが付与されレコードが作成されている有体物１ＢとＩＤタグリーダ６を用いて、新しく設置された有体物１ＡにＬＡを半自動で付与してデータベースに登録する場合の動作を説明する。
【００６７】
ユーザが、有体物１Ａ，１ＢとＩＤリーダ６とを接近させると、ＩＤリーダ６のＩＤ番号読取部６１は有体物１Ａ，１Ｂに付されたＩＤタグ５Ａ，５ＢのＩＤ番号を読み取る。ＩＤタグリーダ６のＩＤ番号送信部６４はネットワーク７を介して位置情報関連付けサーバ４のＩＤ番号受信部４７と接続し、前記読み取ったＩＤ番号を送信する。
【００６８】
ＩＤ番号受信部４７はＩＤ番号を受信すると、これをＩＤ番号・ＬＡ関連決定部４６ａへ入力する。ＩＤ番号・ＬＡ関連決定部４６ａはＩＤ番号受信部４７からＩＤ番号が入力されると、各ＩＤ番号をキーとしてＤＢ４１を検索する。ここで、有体物１Ａ，１ＢのＩＤ番号はほぼ同時に読み取られ、送信されてきたことから、両者は極めて近くに設置され、そのＬＡは同一であると考えられる。
【００６９】
検索の結果、該当するレコードのないＩＤ番号、ここでは有体物１ＡのＩＤ番号があればＤＢ４１に新たなレコードを作成し、これに当該ＩＤ番号及び該当するレコードのあるＩＤ番号に対応するＬＡ、ここでは有体物１ＡのＩＤ番号及び有体物１ＢのＩＤ番号に対応するＬＡを登録する。
【００７０】
なお、ここではＤＢ４１に有体物１Ａのレコードが未登録の場合を例に挙げたが、有体物１Ａのレコードが既に登録され、ＬＡも付与されているが、これが同時に送信されてきた他の複数のＩＤ番号に対応するＬＡと異なる場合、当該有体物１ＡのＬＡが変化したものとみなして、ＩＤ番号・ＬＡ関連決定部４６ａは有体物１Ａに対し、新しいＬＡを付与するようにしても良い。
【００７１】
さらに、ＩＤタグリーダ６が固定的に設置され使用されるものと仮定すれば、ＩＤタグリーダ自体にその場所のＬＡを記憶させておき、これを読み取ったＩＤ番号とともに位置情報関連付けサーバ４へ送るようにしても良く、この場合は登録済みの他の有体物がなくても、ＬＡを半自動で付与・登録可能となる。
【図面の簡単な説明】
【００７２】
【図１】本発明の第１の実施の形態を示すブロック図
【図２】データベースの一例を示す説明図
【図３】第１の実施の形態におけるユーザ端末の表示画面の一例を示す説明図
【図４】本発明の第１の実施の形態の変形例を示すブロック図
【図５】本発明の第２の実施の形態を示すブロック図
【図６】第２の実施の形態におけるユーザ端末の表示画面の一例を示す説明図
【図７】本発明の第２の実施の形態の変形例を示すブロック図
【図８】本発明の第３の実施の形態を示すブロック図
【図９】本発明の第３の実施の形態におけるユーザ端末の表示画面の一例を示す説明図
【図１０】本発明の第３の実施の形態の変形例を示すブロック図
【図１１】本発明の第４の実施の形態を示すブロック図
【図１２】本発明の第４の実施の形態の変形例を示すブロック図
【図１３】本発明の第５の実施の形態を示すブロック図
【図１４】本発明の第６の実施の形態を示すブロック図
【符号の説明】
【００７３】
１，１Ａ，１Ｂ：有体物、２：コンテンツサーバ、３：ユーザ端末、４：位置情報関連付けサーバ、５，５Ａ，５Ｂ，９：ＩＤタグ、６：ＩＤタグリーダ、７：ネットワーク、８：中間媒体、３１，３１ａ：ＬＡ入力部、３２：ＬＡ送信部、３３：レコード情報受信部、３４：ＬＡ解釈部、３５：表示部、３６：コンテンツ要求部、３７：コンテンツ受信部、３８：コンテンツ情報入力部、３９：コンテンツ情報送信部、４１：ＤＢ、４２：ＬＡ・レコード関連決定部、４３，４８：ＬＡ受信部、４４：レコード情報送信部、４５：レコード情報抽出部、４６，４６ａ：ＩＤ番号・ＬＡ関連決定部、４７：ＩＤ番号受信部、６１：ＩＤ番号読取部、６２：新規ＬＡ入力部、６３：ＩＤ番号・ＬＡ送信部、６４：ＩＤ番号送信部。
【図１】
2005227968.tif 000003
【図２】
2005227968.tif 000004
【図３】
2005227968.tif 000005
【図４】
2005227968.tif 000006
【図５】
2005227968.tif 000007
【図６】
2005227968.tif 000008
【図７】
2005227968.tif 000009
【図８】
2005227968.tif 000010
【図９】
2005227968.tif 000011
【図１０】
2005227968.tif 000012
【図１１】
2005227968.tif 000013
【図１２】
2005227968.tif 000014
【図１３】
2005227968.tif 000015
【図１４】
2005227968.tif 000016